(57)【要約】【課題】自動車に対して非接触で充電する装置を、自動車が駐車している位置に設け、自動車の運転者が容易にこの充電器の電源のオンオフが可能なキー内蔵型遠隔操作装置を提供する。【解決手段】自動車１１に搭載されている電池１２に、外部に配置された電源からコードレスで充電を行う充電器１３の電源を無線でオンオフする装置であって、自動車１１のドアの施錠及び解錠を無線で行うキー中に、ドアの施錠及び解錠とは別に、充電器１３の電源をオンオフするスイッチ手段２３を設けた。【選択図】図１
2012251374.tif 000002
【特許請求の範囲】
【請求項１】
自動車に搭載されている電池に、外部に配置された電源からコードレスで充電を行う充電器の電源を無線でオンオフする装置であって、
前記自動車のドアの施錠及び解錠を無線で行うキー中に、前記ドアの施錠及び解錠とは別に、前記充電器の電源をオンオフするスイッチ手段を設けたことを特徴とするキー内蔵型遠隔操作装置。
【請求項２】
請求項１記載のキー内蔵型遠隔操作装置において、前記スイッチ手段は、前記キーに設けられている押しボタンスイッチと姿勢検知手段とを有し、前記キーが特定の姿勢にあることを前記姿勢検知手段によって検知した状態で、前記押しボタンスイッチの操作によって、前記充電器の電源のオンオフができることを特徴とするキー内蔵型遠隔操作装置。
【請求項３】
請求項２記載のキー内蔵型遠隔操作装置において、前記姿勢検知手段は、前記キーの３以上の姿勢を検知し、前記キーが特定の姿勢で、ガレージの開閉スイッチ又はドアの開閉スイッチとして働くことを特徴とするキー内蔵型遠隔操作装置。
【請求項４】
請求項３記載のキー内蔵型遠隔操作装置において、前記姿勢検知手段は、円板状又は球状の重りと、該重りを収納する容器と、該容器の内側周囲にある感圧センサー又は圧電センサーとを有することを特徴とするキー内蔵型遠隔操作装置。
【発明の詳細な説明】
【技術分野】
【０００１】
本発明は、自動車の電池を充電する充電器の電源のオンオフをリモコンで行うキー内蔵型遠隔操作装置に関する。
【背景技術】
【０００２】
自動車の電池に非接触で充電する装置は、例えば、特許文献１に記載され、給電側と受電側のケーブル接続を要することなく、自動車に備えられている電池に充電するもので、一次コイルと二次コイルを離間して備え、固定配置された一次コイルから自動車に搭載された二次コイルに向けて電力を送っている。
【０００３】
一方、自動車のドアやエンジン等をリモコンで操作するキーが近年広く使用され、特許文献２には、小型のポータブル送信機（例えば、自動車のキー）から送信できる信号を増加するためのワイヤレス操作システムが提案されている。
また、特許文献３には、通信機能を有する電子キーに重力センサーとモーションセンサーを配置し、これらを組み合わせてドアの解錠を行う車両用施解錠システムが提案されている。
そして、特許文献４には２種類の電波を使用して、車載ユニットの複雑な制御を行う車両用遠隔操作装置が提案されている。
【先行技術文献】
【特許文献】
【０００４】
【特許文献１】特開２０１１−９７６７１号公報
【特許文献２】特開平１０−２５２３２９号公報
【特許文献３】特許第４６４９２７３号公報
【特許文献４】特開２００４−６８４２０号公報
【発明の概要】
【発明が解決しようとする課題】
【０００５】
ところが、特許文献１記載の技術は、所定の駐車場に駐車し、特定の作業者の下で自動車の充電が行われるもので、自動車の運転者が簡単に充電開始及び充電停止の動作を行えるものではないという問題があった。
一方、特許文献２〜４には自動車のキーに別のスイッチを設けて、自動車の他の機器を作動させるようにしているが、自動車外に設けられている非接触式の充電装置を作動させ、自動車の電池を充電させるものではなかった。
【０００６】
本発明は、かかる事情に鑑みてなされたもので、自動車に対して非接触で充電する装置を、自動車が駐車している近位置に設け、自動車の運転者が容易にこの充電器の電源のオンオフが可能なキー内蔵型遠隔操作装置を提供することを目的とする。
【課題を解決するための手段】
【０００７】
前記目的に沿う第１の発明に係るキー内蔵型遠隔操作装置は、自動車に搭載されている電池に、外部に配置された電源からコードレスで充電を行う充電器の電源を無線でオンオフする装置であって、
前記自動車のドアの施錠及び解錠を無線で行うキー中に、前記ドアの施錠及び解錠とは別に、前記充電器の電源をオンオフするスイッチ手段を設けた。
【０００８】
また、第２の発明に係るキー内蔵型遠隔操作装置は、第１の発明に係るキー内蔵型遠隔操作装置において、前記スイッチ手段は、前記キーに設けられている押しボタンスイッチと姿勢検知手段とを有し、前記キーが特定の姿勢にあることを前記姿勢検知手段によって検知した状態で、前記押しボタンスイッチの操作によって、前記充電器の電源のオンオフができる。
【０００９】
第３の発明に係るキー内蔵型遠隔操作装置は、第２の発明に係るキー内蔵型遠隔操作装置において、前記姿勢検知手段は、前記キーの３以上の姿勢を検知し、前記キーが特定の姿勢で、ガレージの開閉スイッチ又はドアの開閉スイッチとして働く。
【００１０】
そして、第４の発明に係るキー内蔵型遠隔操作装置は、第３の発明に係るキー内蔵型遠隔操作装置において、前記姿勢検知手段は、円板状又は球状の重りと、該重りを収納する容器と、該容器の内側周囲にある感圧センサー又は圧電センサーとを有する。
【発明の効果】
【００１１】
第１〜第４の発明に係るキー内蔵型遠隔操作装置は、自動車に搭載されている電池に、外部に配置された電源からコードレスで充電を行う充電器の電源を無線でオンオフする装置であって、自動車のドアの施錠及び解錠を無線で行うキー中に、ドアの施錠及び解錠とは別に、充電器の電源をオンオフするスイッチ手段を設けているので、運転者は自動車に載ったままで、充電器の電源のオンオフができる。この場合、充電器もコードレスで自動車に電源を供給しているので、全ての操作が自動車内でかつ非接触でできる。
そして、スイッチ手段は自動車のドアの施錠及び解錠を無線で行うキー中に配置されているので、２つのスイッチを用意する必要がない。
【００１２】
特に、第２の発明に係るキー内蔵型遠隔操作装置は、スイッチ手段が、キーに設けられている押しボタンスイッチと姿勢検知手段とを有し、キーが特定の姿勢にあることを姿勢検知手段によって検知した状態で、押しボタンスイッチを操作することによって、充電器の電源のオンオフができるので、確実に押しボタンスイッチを使い分けることができる。
【００１３】
第３、第４の発明に係るキー内蔵型遠隔操作装置は、姿勢検知手段が、キーの３以上の姿勢を検知し、キーが特定の姿勢で、ガレージの開閉スイッチ又はドアの開閉スイッチとして働き、キーの融通性が増す。
【図面の簡単な説明】
【００１４】
【図１】（Ａ）、（Ｂ）はそれぞれ本発明の一実施の形態に係るキー内蔵型遠隔操作装置の説明図、（Ｃ）はその回路ブロック図である。
【図２】同キー内蔵型遠隔操作装置の説明図である。
【図３】本発明の他の実施の形態に係るキー内蔵型遠隔操作装置の説明図である。
【発明を実施するための形態】
【００１５】
続いて、添付した図面を参照しながら、本発明を具体化した実施の形態について説明する。
図１（Ａ）〜（Ｃ）、図２に示すように、本発明の一実施の形態に係るキー内蔵型遠隔操作装置１０は、自動車１１に搭載されている電池１２に、外部に配置された充電器１３からコードレスで充電を行う場合に用いるものである。なお、自動車１１としては、例えば、ハイブリッドカー又は電気自動車等がある。
【００１６】
この充電器１３は、本発明者が先に出願して公開になった特開２０１１−９７６７１号公報に記載のように、自動車１１の底部に二次コイル１４を配置し、地面（床面）１５に一次コイル１６を配置して、一次コイル１６に高周波電源発生装置１７から高周波電流を流し、二次コイル１４に高周波電流を誘導し、充電制御装置１８で所定電圧の直流に変換して電池１２に供給するものである。
【００１７】
充電器１３は高周波電源装置１７を有し、商用電源を整流して直流とし、これを高周波交流に変えるインバータを有している。この高周波電源装置１７は一次側に手動スイッチ２０と、無線によってオンオフされる無線スイッチ２１とを有している。
この無線スイッチ２１のオンオフはキー内蔵型遠隔操作装置１０によって行われる。キー内蔵型遠隔操作装置１０は、キー中に自動車１１のドアの施錠及び解錠を無線で行うドアの施錠及び解錠の他に、無線スイッチ２１にＩＤを含む信号を送って、充電器１３の電源をオンオフするスイッチ手段２３を有している。
【００１８】
キー内蔵型遠隔操作装置１０は、図１（Ｂ）、（Ｃ）に示すように、キー本体２４の内部に、図示しない電池、この電池によって駆動される無線機２５、スイッチ手段２３を構成する押しボタンスイッチ２６、及び姿勢検知手段２７を有している。
姿勢検知手段２７は、図２に示すように、円板状の重り３０と、重り３０を収納する容器３１と、容器３１の内側周囲の上下左右にある感圧センサー３２〜３５とを有し、キー内蔵型遠隔操作装置１０を水平又は垂直にした場合には、異なる感圧センサー３２〜３５の一つが働く（正確には抵抗が変化する）ようになっている。
【００１９】
この感圧センサー３２〜３５には図示しない制御部に信号が送られ、感圧センサー３２〜３５のいずれが重り３０によって押されたかを検知し、鍵部３６を基準にして、上、左、下、右の信号を発するようになっている。即ち、感圧センサー３２が重り３０で押されれば、上信号を、感圧センサー３３が重り３０で押されれば左の信号を、感圧センサー３４が重りで押されれば下信号を、感圧センサー３５が重り３０で押されれば右の信号を発するようになっている。なお、この実施の形態では、右と左の信号は区別し難いので、いずれが動作しても、同一の信号（総称して横信号という）としている。
【００２０】
押しボタンスイッチ２６は、機械的スイッチ又は感圧センサーからなって、押された場合、オンの信号を発するようになっている。この押しボタンスイッチ２６に直列に姿勢検知手段２７が接続されて、姿勢検知手段２７の検出位置（上、下、横）で、押しボタンスイッチ２６から異なる信号を無線機２５に与え、無線機２５から異なる種類のＩＤを含む信号を電波として外部に送信するようになっている。この実施の形態では、横信号を使用しないで、上信号と下信号を使用している。
【００２１】
即ち、姿勢検知手段２７は、鍵部３６が下位置にある場合、押しボタンスイッチ２６を押すと下信号を無線機２５に与え、無線機２５から通常のＩＤ信号を含む電波を発して、自動車１１内の図示しない受信機で受信してドアの開閉（施錠及び解錠）を行う。即ち、通常の自動車１１の無線キーとして使用できる。
【００２２】
一方、鍵部３６を上にした状態で、押しボタンスイッチ２６を押すと、姿勢検知手段２７から上信号を無線機２５に送信し、無線機２５からは通常のＩＤ信号の前に又は後に更に２桁の別の信号を加えた信号を発信し、充電器１３の無線スイッチ２１を作動させる。この時、手動スイッチ２０が入っていれば、充電器１３の電源のオンオフを行う。なお、電池１２の充電が完了すると、自動車１１に設けられている別の送信機から無線スイッチ２１に信号を送って充電を停止させる。勿論、キー内蔵型遠隔操作装置１０によっても充電器１３の電源をオフにすることができる。
【００２３】
前記した実施の形態においては、姿勢検知手段２７からの横信号を使用しなかったが、横信号を使用して、無線機２５から更に異なる信号を送信し、ガレージ又は玄関等のドアの開閉スイッチ等に使用することもできる。
【００２４】
図３には、本発明の他の実施の形態に係るキー内蔵型遠隔操作装置３８を示すが、姿勢検知手段の容器３９が球状となって、内部に球体からなる重り４０が配置されている。これによって、上下と周囲４方向の検出が可能で、６通りの異なる姿勢の信号を得ることができ、押しボタンスイッチ２６と組み合わせて、６種類の無線信号を得ることができ、用途を拡張することができる。
また、前記実施の形態においては、姿勢検知手段に感圧センサーを用いたが、圧電センサーを用いることもできるし、従来からなる水銀スイッチを使用することもできる。
【００２５】
本発明は前記した実施の形態に限定されるものではなく、本発明の要旨を変更しない範囲でその構成を変更することもできる。
【符号の説明】
【００２６】
１０：キー内蔵型遠隔操作装置、１１：自動車、１２：電池、１３：充電器、１４：二次コイル、１５：地面、１６：一次コイル、１７：高周波電源発生装置、１８：充電制御装置、２０：手動スイッチ、２１：無線スイッチ、２３：スイッチ手段、２４：キー本体、２５：無線機、２６：押しボタンスイッチ、２７：姿勢検知手段、３０：重り、３１：容器、３２〜３５：感圧センサー、３６：鍵部、３８：キー内蔵型遠隔操作装置、３９：容器、４０：重り
【図１】
2012251374.tif 000003
【図２】
2012251374.tif 000004
【図３】
2012251374.tif 000005